(57)【特許請求の範囲】
【請求項１】
複数の鍵が集合した鍵盤ユニットを上ケースと下ケースの間に支持する鍵盤楽器の鍵盤支持構造であって、
前記鍵盤ユニットは、前記複数の鍵と、該複数の鍵の配列方向に延伸して該複数の鍵の各々をヒンジ部を介して揺動可能に連結させた長尺状の取付レール部とを備え、
前記上ケースにおける前記取付レール部に対向する面には、該取付レール部の長手方向に沿って延伸する突起状のリブが形成されており、
前記取付レール部における前記リブの先端を当接させる箇所には、前記取付レール部に対する前記リブの当接位置を規制するためのリブ位置規制部が設けられており、
前記取付レール部は、前記リブで押さえられた状態で前記上ケースと前記下ケースの間に直接または他の部材を介して挟持されており、前記上ケースと前記下ケースを一体に固定するための固定具のみによってその位置決め及び固定がなされている
ことを特徴とする鍵盤楽器の鍵盤支持構造。
【請求項２】
複数の鍵が集合した鍵盤ユニットを上ケースと下ケースの間に支持する鍵盤楽器の鍵盤支持構造であって、
前記鍵盤ユニットは、前記複数の鍵と、該複数の鍵の配列方向に延伸して該複数の鍵の各々をヒンジ部を介して揺動可能に連結させた長尺状の取付レール部とを備え、
前記上ケースにおける前記取付レール部に対向する面には、該取付レール部の長手方向に沿って延伸する突起状のリブが形成されており、
前記取付レール部における前記リブの先端を当接させる箇所には、前記取付レール部に対する前記リブの当接位置を規制するためのリブ位置規制部が設けられており、
前記取付レール部は、前記リブで押さえられた状態で前記上ケースと前記下ケースの間に直接または他の部材を介して挟持されており、該取付レール部を前記上ケース又は前記下ケース又は前記他の部材に対して位置決めするための位置決め具と、前記上ケースと前記下ケースを一体に固定するための固定具とのみによってその位置決め及び固定がなされている
ことを特徴とする鍵盤楽器の鍵盤支持構造。
【請求項３】
前記上ケースにおける前記取付レール部に対向する面には、前記固定具を固定するための突起状のボス部が複数設けられており、
前記リブは、隣接する前記ボス部の間を繋ぐように延伸している
ことを特徴とする請求項１又は２に記載の鍵盤楽器の鍵盤支持構造。
【請求項４】
前記リブの先端の少なくとも一部は、前記ボス部の先端よりも前記取付レール部側に突出している
ことを特徴とする請求項３に記載の鍵盤楽器の鍵盤支持構造。
【請求項５】
前記リブの先端と前記取付レール部との間に緩衝材を介在させた
ことを特徴とする請求項１乃至４のいずれかに記載の鍵盤楽器の鍵盤支持構造。
【発明の詳細な説明】
【技術分野】
【０００１】
本発明は、電子オルガン、電子ピアノ、シンセサイザなどの電子鍵盤楽器をはじめとする各種鍵盤楽器において、ユニット化された鍵盤をケースに支持するための鍵盤支持構造に関する。
【背景技術】
【０００２】
電子オルガン、電子ピアノ、シンセサイザなどの電子鍵盤楽器をはじめとする各種鍵盤楽器には、例えば、特許文献１に示すように、複数の鍵の各々を揺動可能な状態で一体に連結してなる鍵盤ユニットを備えたものがある。この鍵盤ユニットは、各鍵の後端をヒンジ部を介して連結させて鍵の配列方向に延伸する長尺棒状の取付レール部（鍵共通基端部）を備えている。そして、この取付レール部が鍵盤の後方上部を覆う上ケースと鍵盤の下面側を覆う下ケースとの間に挟み込まれた状態で取り付けられるようになっている。
【０００３】
従来、上記のような鍵盤楽器を組み立てるには、鍵盤ユニットの取付レール部を上ケースと下ケースのいずれか、又は鍵盤の下面側に設置した鍵盤フレームに対してネジなどであらかじめ固定していた。その上で、上ケースと下ケースの間に取付レール部を配置して、上ケースと下ケースを一体に固定するためのネジ（共締ネジ）を締結していた。これにより、上ケースと下ケースの間に鍵盤フレームが挟み込まれた状態で一体に固定される。
【先行技術文献】
【特許文献】
【０００４】
【特許文献１】特公平６−７７１９５号公報
【発明の概要】
【発明が解決しようとする課題】
【０００５】
ところが、鍵盤ユニットの取付レール部は、鍵の配列方向に延伸する長尺棒状であるため、上記のような方法で鍵盤楽器を組み立てると、取付レール部を上下ケース又は鍵盤フレームに対して固定するためのネジが多数必要となるうえ、さらに、上ケースと下ケースを一体に固定するためのネジも必要となる。このため、鍵盤楽器の組立に必要なネジの本数が多くなるという問題があった。このことは、鍵盤楽器の組立工程の効率化、及び鍵盤楽器の低コスト化や軽量化を図る上での妨げになるおそれがある。
【０００６】
また、取付レール部の長手方向の複数箇所がネジで固定されている構造では、演奏時の押鍵操作で各鍵からヒンジ部を介して取付レール部に掛かる荷重によって、取付レール部における固定箇所の間の部分に撓みが生じるおそれがある。この具体例を挙げると、押鍵操作で鍵の先端側を押し下げることで、鍵の先端よりも若干奥側の下面に設けた突起状の鍵ストッパーの下端がケースなどに当接して、その位置で鍵の下降が規制される。ところが、そこからさらに鍵の先端部を押し下げる力が強く加わった場合には、鍵ストッパーを支点として鍵の後端側を持ち上げる向き（上向き）の力が作用する。これにより、ヒンジ部を介して取付レール部の長手方向を撓ませようとする強い力が作用する。このような力で取付レール部に撓みが生じると、鍵の後端側が浮き上がるなどして鍵タッチ感が悪くなったり、きしみ音など機械的な雑音が発生したりするという問題があった。
【０００７】
本発明は上述の点に鑑みてなされたものであり、その目的は、部品点数を少なく抑えた簡単な構造で鍵盤楽器の低コスト化及び軽量化を図りながら、鍵盤ユニットの確実な固定を可能とする鍵盤支持構造を提供することにある。
【課題を解決するための手段】
【０００８】
上記課題を解決するための本発明は、複数の鍵（１１）を配列状態で連結してなる鍵盤ユニット（１０）を上ケース（２０）と下ケース（４０）の間に支持する鍵盤楽器の鍵盤支持構造であって、鍵盤ユニット（１０）は、複数の鍵（１１）と、該複数の鍵（１１）の配列方向に延伸して該複数の鍵（１１）の各々をヒンジ部（１０ａ）を介して揺動可能に連結させた長尺状の取付レール部（１５）とを備え、取付レール部（１５）は、上ケース（２０）と下ケース（４０）の間に直接または他の部材（５０）を介して挟持されており、上ケース（２０）と下ケース（４０）を一体に固定するための固定具（３）のみによってその位置決め及び固定がなされているか、または、取付レール部（１５）を上ケース（２０）又は下ケース（４０）又は他の部材（５０）に対して位置決めするための位置決め具（１６，１７）と、上ケース（２０）と下ケース（４０）を一体に固定するための固定具（３）とのみによってその位置決め及び固定がなされている、ことを特徴とする。
【０００９】
複数の鍵を配列状態で連結してなる鍵盤ユニットを上ケースと下ケースの間に支持してなる鍵盤楽器では、本発明のように、上ケースと下ケースの間に直接または鍵盤フレームなど他の部材を介して挟持した取付レール部の位置決め及び固定を、上ケースと下ケースを一体に固定するための固定具のみによって行うか、または、取付レール部を上ケース又は下ケース又は他の部材に対して位置決めするための位置決め具と、上ケースと下ケースを一体に固定するための固定具とのみによって行うようにすれば、鍵盤楽器の組立に必要なネジなどの固定具の数を従来よりも少なく抑えることが可能となる。これにより、鍵盤楽器の部品点数の削減、軽量化及び組立工程の効率化を図ることができ、鍵盤楽器の低コスト化を図ることが可能となる。
【００１０】
本発明の鍵盤支持構造が適用される複数の鍵を配列状態で連結してなる鍵盤ユニットは、携帯用に適した小型の鍵盤楽器や、比較的低廉な機種の鍵盤楽器に採用されることが多いものである。このような鍵盤楽器では、本発明の鍵盤支持構造によって、鍵盤ユニットを上下ケースなどに固定するネジなどの固定具の数を従来より１個でも削減できれば、材料費はもとより、組立効率の向上につながるので、製品の単価を低く抑えることができ、機種全体の製造原価の抑制に大きな効果が得られるようになる。また、小型の鍵盤楽器であれば、製品の軽量化に大きな効果が望めるようになる。
【００１１】
なお、ここでいう位置決め具による位置決めとは、鍵盤ユニットの固定位置にずれなどが生じないように、上下ケース及び鍵盤ユニットを一体に本固定する前に、取付レール部を上下ケースまたは他の部材に対してあらかじめ位置決めしておくことをいう。また、この位置決めは、ネジなどによる仮固定として行われる場合もあるが、その場合でも、取付レール部を上下ケースに対して固定具で本固定することとは異なり、当該位置決めだけでは、製品として必要な強度で鍵盤ユニットを支持することはできないものをいう。
【００１２】
また、上記の鍵盤楽器では、上ケース（２０）における取付レール部（１５）に対向する面に、該取付レール部（１５）の長手方向に沿って延伸する突起状のリブ（２５）を形成し、取付レール部（１５）を当該リブ（２５）で押さえた状態で上ケース（２０）と下ケース（４０）の間に固定具（３）によって挟持するとよい。
【００１３】
この構成によれば、上ケースに設けた鍵の配列方向に延伸するリブで鍵盤ユニットの取付レール部が押えられるので、取付レール部の長手方向に沿って多数個が固定されていたネジなどの固定具の数を減らすことが可能となる。また、取付レール部の長手方向がリブで押えられるので、上下ケースの間に挟持された取付レール部の剛性を高めることができる。これにより、取付レール部の長手方向に撓みが生じることを防止できる。したがって、演奏時に鍵の後端側が浮き上がるなどして鍵タッチ感が悪くなったり、きしみ音など機械的な雑音が生じたりすることを効果的に抑制できる。
【００１４】
また、この場合、上ケース（２０）における取付レール部（１５）に対向する面には、固定具（３）を固定するための突起状のボス部（２４）が複数設けられており、リブ（２５）は、隣接するボス部（２４）の間を繋ぐように延伸していてよい。この構成によれば、固定具の間の取付レール部がリブで確実に押えられるようになるので、取付レール部の長手方向に撓みが生じることをより効果的に防止できる。
【００１５】
また、この場合、リブ（２５）の先端（２５ａ）の少なくとも一部（２６，２７）は、ボス部（２４）の先端（２４ａ）よりも取付レール部（１５）側に突出しているとよい。（後述する実施形態の図６参照。）上記の鍵盤支持構造では、ボス部及びその近傍の上ケースは固定具によって取付レール部に対して強固に当接するが、隣接するボス部の間に位置するリブは、取付レール部に対する当接力がボス部及びその近傍よりも弱くなるおそれがある。そこで、上記構成のようにリブの先端をボス部の先端よりも取付レール部側に突出させれば、リブの先端がボス部の先端と同等がそれ以上の圧力で取付レール部に当接するようになるので、隣接するボス部の間のリブで取付レール部をより確実に圧力をかけて固定できるようになる。
【００１６】
また、上記の鍵盤楽器では、取付レール部（１５）におけるリブ（２５）の先端（２５ａ）を当接させる箇所には、取付レール部（１５）に対するリブ（２５）の当接位置を規制するためのリブ位置規制部（３０）が設けられているとよい。このようなリブ位置規制部の具体例としては、取付レール部におけるリブの先端が当接する面に設けた段差や突条などが挙げられる。
【００１７】
電子オルガン、電子ピアノ、シンセサイザなどの電子鍵盤楽器をはじめとする各種鍵盤楽器では、鍵盤の後側に設置した上ケースの上面が、演奏者側に向けて傾斜するパネル操作面になっていることがある。この場合、上ケースの傾斜に伴い、該上ケースの下面に形成したリブやボス部も取付レール部の面に対して傾斜していることがある。そうすると、ネジなどの固定具をボス部に固定する際、取付レール部に対する上ケースの固定位置が鍵盤楽器の前後方向にずれ易くなる。これを防止するため、本発明のように、取付レール部におけるリブが当接する箇所にリブ位置規制部を設ければ、とりわけ前後方向の取付レール部に対する上ケースの固定位置がずれることを防止できるようになる。
【００１８】
また、上記の鍵盤楽器では、リブ（２５）の先端（２５ａ）と取付レール部（１５）との間に緩衝材（２８）を介在させるとよい。上ケースや鍵盤ユニットが合成樹脂の成形品などの場合は、上ケースのリブと取付レール部との当接面に僅かな凹凸が有ることがある。その場合、上ケースと取付レール部との当接面からきしみ音などの機械的な雑音が発生するおそれがある。これを防止するため、本発明のように、リブと取付レール部の間に緩衝材を介在させれば、リブ及び取付レール部の微振動やきしみ音などの騒音を防止できる。また、リブによって取付レール部をより強固に固定することができる。このような緩衝材の具体例として、不織布、フェルト、スポンジなどが挙げられる。
なお、上記の括弧内の符号は、後述する実施形態の対応する構成要素の符号を本発明の一例として示したものである。
【発明の効果】
【００１９】
本発明にかかる鍵盤楽器の鍵盤支持構造によれば、部品点数を少なく抑えた簡単な構造で鍵盤楽器の低コスト化及び軽量化を図りながら、鍵盤ユニットの確実な固定が可能となる。
【図面の簡単な説明】
【００２０】
【図１】本発明の第１実施形態にかかる鍵盤楽器の構成を概略的に示す側断面図である。
【図２】（ａ）は、鍵盤ユニットを示す分解斜視図、（ｂ）は、上ケースの一部を下面側から見た斜視図である。
【図３】本発明の第２実施形態にかかる鍵盤楽器の構成を概略的に示す側断面図である。
【図４】本発明の第３実施形態にかかる鍵盤楽器の構成を概略的に示す図で、（ａ）は、鍵盤ユニットを位置決めした状態を示す平面図、（ｂ）は、（ａ）の側面図である。
【図５】本発明の第４実施形態にかかる鍵盤楽器を示す図で、（ａ）は、鍵盤楽器の構成を概略的に示す側断面図、（ｂ）は、上ケースの一部を下面側から見た斜視図、（ｃ）は、上ケースの前側から見たリブ及びその近傍を示す部分断面図である。
【図６】上ケースに設けたリブの他の構成例を示す図である。
【図７】本発明の第５実施形態にかかる鍵盤楽器の構成を概略的に示す側断面図である。
【図８】本発明の第６実施形態にかかる鍵盤楽器の構成を概略的に示す側断面図である。
【発明を実施するための形態】
【００２１】
以下、添付図面を参照して本発明の実施形態を詳細に説明する。
〔第１実施形態〕
図１は、本発明の第１実施形態にかかる鍵盤楽器の構成を概略的に示す側断面図である。なお、以下の説明では、横方向というときは、後述する鍵１１の配列方向を示し、前後方向というときは、各鍵１１の長手方向を示すものとする。図１に示す鍵盤楽器１は、複数の鍵１１（白鍵１１ａ及び黒鍵１１ｂ）が配列状態で連結された鍵盤ユニット１０と、鍵盤楽器１の外装を構成する上ケース２０及び下ケース４０とを備えており、鍵盤ユニット１０を上ケース２０と下ケース４０の間に挟み込んだ状態で支持してなる鍵盤支持構造を有している。
【００２２】
鍵盤ユニット１０は、複数の鍵１１と、該複数の鍵１１の後端がヒンジ部１０ａを介して連結されて鍵１１の配列方向に延伸する長尺状の取付レール部（鍵共通基端部）１５とを備えている。本実施形態では、取付レール部１５は、上ケース２０と下ケース４０の間に直接挟持されており、上ケース２０と下ケース４０を一体に固定するための固定具である共締ネジ３のみによってその位置決め及び固定がなされている。なお、図示は省略するが、鍵盤ユニット１０の下面側には、各鍵に対する押鍵操作を検出するための鍵スイッチが設置されている。
【００２３】
図２（ａ）は、鍵盤ユニット１０を示す分解斜視図である。鍵盤ユニット１０は、１オクターブ分の７個の白鍵１１ａのうち、１個おきの４個の白鍵１１ａを連結した第１白鍵連結体１０−１と、残りの３個の白鍵１１ａを連結した第２白鍵連結体１０−２と、１オクターブ分の黒鍵１１ｂを一体に連結した黒鍵連結体１０−３とを備えている。なお、図２（ａ）では、第１、第２白鍵連結体１０−１，１０−２の白鍵１１ａと、黒鍵連結体１０−３の黒鍵１１ｂは、それぞれ２個ずつのみ図示しており、他は図示を省略している。なお、符号１２は、白鍵１１ａの下面側に突出して該白鍵１１ａの下降を所定位置で規制する鍵ストッパーである。
【００２４】
第１、第２白鍵連結体１０−１，１０−２及び黒鍵連結体１０−３は、いずれも合成樹脂製の成型品からなり、所定間隔で配列した白鍵１１ａ又は黒鍵１１ｂの後端が、可撓性を有する薄板状のヒンジ部１０−１ａ，１０−２ａ，１０−３ａを介して共通取付片１５−１，１５−２，１５−３に連結されている。共通取付片１５−１，１５−２，１５−３は、いずれもその長手方向が鍵１１の配列方向に延びる薄板状の細片からなる。なお、符号１０−１ｂ，１０−２ｂ，１０−３ｂは、ヒンジ部１０−１ａ，１０−２ａ，１０−３ａの下面側に設けた突起部である。これら突起部１０−１ｂ，１０−２ｂ，１０−３ｂは、鍵ストッパー１２が作用している状態で、白鍵１１ａ又は黒鍵１１ｂの長手方向の中間部を非常に強い力で押し下げた場合に、後述する下ケース４０の載置部４３に当接するものである。なお、ここでいう非常に強い力とは、白鍵１１ａ又は黒鍵１１ｂの長手方向に撓みが生じる程の強い力のことを指す。
【００２５】
そして、第２白鍵連結体１０−２の共通取付片１５−２に第１白鍵連結体１０−１の共通取付片１５−１と黒鍵連結体１０−３の共通取付片１５−３を重ね合わせることで、７個の白鍵１１ａ及び５個の黒鍵１１ｂが配列された１オクターブ分の鍵盤ユニット１０が構成される。このとき、共通取付片１５−１〜１５−３が重ね合わせられて一体の取付レール部１５となる。なお、詳細な説明は省略するが、共通取付片１５−１〜１５−３の上下面には、位置決め用の突起や溝などが形成されており、互いを重ね合わせた状態で位置がずれないようになっている。
【００２６】
なお、鍵盤楽器１では、鍵１１の配列方向に沿って上記構成の鍵盤ユニット１０が複数個並設されている。このとき、隣接する鍵盤ユニット１０の取付レール部１５は、必要に応じて端部同士が連結（固定）されていてもよい。その場合、連結された取付レール部１５は、数オクターブ分の鍵１１の配列に沿って一直線状に延伸する長尺棒状となる。
【００２７】
一方、上ケース２０及び下ケース４０はそれぞれ、鍵盤楽器１の上面側と下面側の外装をなす部品である。これら上ケース２０と下ケース４０は、例えば、合成樹脂製の成形品であってよい。下ケース４０は、鍵盤ユニット１０の下面側を覆う略受皿状に形成されており、鍵１１の前端から後端の近傍までに対応する位置の下壁４１は、鍵１１の下方に離間する位置に配置されており、該下壁４１の後側には、下壁４１よりも一段高くなっている段部４２が形成されている。段部４２の上面は、鍵盤ユニット１０の取付レール部１５を載置固定するための平面状の載置部（鍵支承部）４３になっている。載置部４３は、鍵１１の配列方向（横方向）に沿って延伸している。
【００２８】
図２（ｂ）は、上ケース２０の一部を下面側から見た斜視図である。上ケース２０は、鍵１１の前端から所定長さの部分である見え懸かり部よりも後側の部分に被せて設置する部材であり、上面側にコントロールパネルなどのパネル面が設けられていることもある。この上ケース２０は、黒鍵１１ｂの後端面に対向して立設された前壁２１と、該前壁２１の上端から後側に向かって略水平方向に延びる平板状の上壁２２とを備えている。上壁２２の下面側（裏面側）２２ａには、略円柱状の小突起からなるボス２４が突出形成されている。ボス２４は、取付レール部１５の長手方向に沿って所定間隔で複数個が配列されている。各ボス２４の下端面２４ａの中心には、ネジ穴２４ｂが形成されている。このネジ穴２４ｂは、上ケース２０と下ケース４０を一体に固定するための固定具である共締ネジ３（図１参照）を締結するものである。また、取付レール部１５と下ケース４０の載置部４３における各ボス２４に対向する位置にはそれぞれ、共締ネジ３を挿通するための挿通穴１５ａと挿通穴４３ａが形成されている。
【００２９】
上記構成の鍵盤楽器１を組み立てるには、あらかじめ第１、第２白鍵連結体１０−１，１０−２と黒鍵連結体１０−３を一体にして鍵盤ユニット１０を組み立てておく。そして、鍵盤ユニット１０の取付レール部１５を下ケース４０の載置部４３に載置して、下ケース４０の上面側に上ケース２０を被せて取り付ける。これにより、上ケース２０のボス２４と下ケース４０の載置部４３との間に取付レール部１５が挟持される。この状態で、下ケース４０の下面側から載置部４３の挿通穴４３ａと取付レール部１５の挿通穴１５ａとに共締ネジ３を挿通して、ボス２４のネジ穴２４ｂに締結固定する。これにより、上下ケース２０，４０とそれらの間に挟持された取付レール部１５とが一体に固定される。
【００３０】
以上により、鍵盤ユニット１０の取付レール部１５が上下ケース２０，４０の間に固定され、鍵盤ユニット１０の各鍵１１が取付レール部１５の前側で略水平面内に配列される。そして、各鍵１１は、取付レール部１５に対して可撓性を有するヒンジ部１０ａを介して連結されているため、押鍵操作に応じてヒンジ部１０ａが撓むことで、各鍵１１はその前端側が上下に揺動するようになっている。なお、押鍵操作される鍵１１（白鍵１１ａ）は、鍵ストッパー１２の下端が下壁４１に当接する位置で、それ以上の下降が規制されるようになっている。
【００３１】
本実施形態の鍵盤取付構造では、鍵盤ユニット１０の取付レール部１５が、上ケース２０と下ケース４０を一体に固定するための共締ネジ３のみによって固定されている。したがって、従来のように、取付レール部を他の部材にあらかじめ固定するためのネジと、上下ケースを共締めするためのネジとの両方を用いる場合と比べて、鍵盤楽器１の組立に必要なネジの数を少なく抑えることが可能となる。これにより、鍵盤楽器の部品点数の削減、軽量化及び組立工程の効率化を図ることができ、鍵盤楽器の低コスト化を図ることが可能となる。
【００３２】
上下ケース２０，４０及び鍵盤ユニット１０を固定するための共締ネジ３は、少なくとも取付レール部１５の両端それぞれに対応して設置することが望ましいが、その具体的な設置数は限定されない。また、上記では、鍵盤ユニット１０は、１オクターブ分の鍵１１を備えたものであるが、本発明の鍵盤ユニットは、１オクターブ分よりも多くの鍵を一体に連結させた構成であってもよい。さらにいえば、小型の鍵盤楽器の場合などは、鍵盤楽器が備えるすべての鍵を一体に連結させたものでもよい。また、そのような場合は、取付レール部１５の長さがより長くなるので、共締ネジ３は、取付レール部１５の両端だけでなく、その中間の適宜位置に一又は複数を固定するようにしてよい。
【００３３】
なお、複数の鍵１１を配列状態で連結してなる鍵盤ユニット１０は、携帯に適した小型の鍵盤楽器や、比較的低廉な機種の鍵盤楽器に採用されることが多い。このような鍵盤楽器では、本実施形態の鍵盤支持構造を適用することで、鍵盤ユニット１０を上下ケース２０，４０に固定するネジなどの固定具の数を従来より１個でも削減できれば、その分、製品の単価を低く抑えることで、機種全体の製造原価の抑制に大きな効果が得られるようになる。また、小型の鍵盤楽器であれば、製品の軽量化に大きな効果が望めるようになる。
【００３４】
〔第２実施形態〕
次に、本発明の第２実施形態にかかる鍵盤楽器について説明する。なお、第２実施形態の説明及び対応する図面においては、第１実施形態と同一又は相当する構成部分には同一の符号を付し、以下ではその部分の詳細な説明は省略する。また、以下で説明する事項以外の事項、及び図示する以外の事項については、第１実施形態と同じである。
【００３５】
図３は、第２実施形態の鍵盤楽器１−２の構成を概略的に示す側断面図である。同図に示す鍵盤楽器１−２は、第１実施形態の鍵盤楽器１の構成に加えて、鍵盤ユニット１０を支持するため鍵盤フレーム５０を備えている。鍵盤フレーム５０は、鍵盤ユニット１０と下ケース４０との間に設置した略平板状の部材で、その面が鍵盤ユニット１０の下面（鍵１１の下面）に沿って前後方向及び鍵１１の配列方向に延びており、前後方向の中間部分よりも一段高くなっている後端辺５０ｂと、該中間部分よりも一段低くなっている前端辺５０ｃとを備えており、該後端辺５０ｂが鍵盤ユニット１０の取付レール部１５と下ケース４０の載置部４３との間に設置されている。すなわち、本実施形態の鍵盤楽器１−２では、鍵盤ユニット１０の取付レール部１５は、上ケース２０のボス２４と下ケース４０の載置部４３との間に鍵盤フレーム５０と共に挟持されている。なお、鍵盤フレーム５０の前端辺５０ｃは、鍵１１が一杯まで押し下げられたときに、鍵ストッパー１２の下端を当接させてそれ以上の鍵１１の下降を規制するための部分である。
【００３６】
本実施形態の鍵盤楽器１−２は、上下ケース２０，４０の間に鍵盤フレーム５０を介在させている点以外は、第１実施形態の鍵盤楽器１と同じ構成である。したがってこの場合も、鍵盤ユニット１０の取付レール部１５は、上ケース２０と下ケース４０を一体に固定するための共締ネジ３のみによって固定されている。したがって、鍵盤楽器１−２の組立に必要なネジなど固定具の数を従来よりも少なく抑えることが可能となる。
【００３７】
〔第３実施形態〕
図４は、本発明の第３実施形態にかかる鍵盤楽器１−３を示す図であり、（ａ）は、鍵盤フレーム５０に鍵盤ユニット１０を位置決めした状態を示す平面図、（ｂ）は、（ａ）の概略側断面図である。本実施形態の鍵盤楽器１−３は、図３に示す第２実施形態の鍵盤楽器１−２において、さらに、図４に示す位置決め機構１８を備えている。位置決め機構１８は、鍵盤ユニット１０の取付レール部１５を上下ケース２０，４０に対する本固定前に鍵盤フレーム５０に対して位置決めするための機構であり、取付レール部１５に取り付ける位置決めネジ１６、及び取付レール部１５に一体形成した位置決めフック１７を備えて構成されている。なお、本実施形態の鍵盤楽器１−３が備える鍵盤ユニット１０は、第１、第２実施形態と同様、１オクターブ分の鍵１１が連結されたものである。
【００３８】
位置決めネジ１６は、取付レール部１５の一端１５ｃの近傍を上面側から貫通して下面側の鍵盤フレーム５０に締結されている。位置決めネジ１６を取り付けた状態では、取付レール部１５は、位置決めネジ１６を支点として、他端１５ｄが水平面内で前後に回動可能になっている。一方、位置決めフック１７は、取付レール部１５の他端１５ｄの後側面に突出形成された断面略コ字状の細片からなり、取付レール部１５が正規の位置にあるときに、鍵盤フレーム５０の後端辺５０ｂに係合するものである。位置決めネジ１６によって回動可能に支持された取付レール部１５の他端１５ｄが鍵盤フレーム５０の後端辺５０ｂに係合することで、取付レール部１５が鍵盤フレーム５０に対して正確に位置決めされるようになっている。
【００３９】
本実施形態の鍵盤楽器１−３の組み立てでは、あらかじめ、図４に示すように鍵盤フレーム５０に対して鍵盤ユニット１０の取付レール部１５を位置決め（仮止め）しておく。その状態で、上ケース２０と下ケース４０の間に取付レール部１５と鍵盤フレーム５０を挟み込んで、これらを共締ネジ３で一体に固定する。これにより、鍵盤ユニット１０を上ケース２０及び下ケース４０に対して正確に位置決めした状態で固定できる。
【００４０】
すなわち、取付レール部１５を位置決めする手段がなければ、上下ケース２０，４０の間に取付レール部１５を挟み込んで一体に固定する際、取付レール部１５が上下ケース２０，４０の間から脱落したり、正規の位置からずれたりするなどの不具合が生じるおそれがある。これに対して、本実施形態の鍵盤楽器１−３では、上記の位置決め機構１８を設けたことで、取付レール部１５を位置決めした状態で上下ケース２０，４０に本固定できるので、鍵盤ユニット１０の脱落や位置ずれを防止できるようになる。
【００４１】
なお、本発明にかかる位置決め機構としては、上記のような位置決めネジ１６及び位置決めフック１７を備えた構成のほか、図示は省略するが、適当な治具を用いて取付レール部１５を鍵盤フレーム５０に仮固定する構成であってもよい。また、取付レール部１５を位置決めする相手側の部材は、鍵盤フレーム５０だけでなく、上ケース２０又は下ケース４０であってもよいし、他の部材であってもよい。例えば、鍵盤ユニット１０の下面側に硬質の回路基板を設置する場合は、当該回路基板に対して取付レール部１５を位置決めすることも可能である。
【００４２】
本実施形態の鍵盤楽器１−３では、鍵盤ユニット１０の取付レール部１５の位置決め及び固定を、位置決めネジ１６及び位置決めフック１７からなる位置決め機構１８と、共締ネジ３とのみで行っている。したがって、第１、第２実施形態の鍵盤楽器１，１−２と同様、鍵盤楽器１−３の組立に必要なネジなどの固定具の数を従来よりも少なく抑えることが可能となる。
【００４３】
〔第４実施形態〕
図５は、本発明の第４実施形態にかかる鍵盤楽器１−４を示す図であり、（ａ）は、鍵盤楽器１−４の構成を概略的に示す側断面図、（ｂ）は、上ケース２０を下面側から見た斜視図、（ｃ）は、上ケース２０の一部を示す部分側断面図である。本実施形態の鍵盤楽器１−４は、第２実施形態の鍵盤楽器１−２の構成に加えて、上ケース２０の下面側（取付レール部１５側）２２ａの面に形成した突起状のリブ２５を備えている。リブ２５は、取付レール部１５に沿って突出する薄板状であり、上ケース２０の下面側２２ａに設けたボス２４の間を繋ぐように延伸している。そして、図５（ａ），（ｃ）に示すように、上下ケース２０，４０及び鍵盤フレーム５０の間に挟み込まれた鍵盤ユニット１０の取付レール部１５は、その上面１５ｂがリブ２５の下端辺２５ａで押さえられた状態で固定されている。
【００４４】
本実施形態の鍵盤楽器１−４では、鍵１１の配列方向に延伸するリブ２５を上ケース２０に設けて、当該リブ２５で鍵盤ユニット１０の取付レール部１５を押えた状態で固定している。これにより、取付レール部１５の確実な固定を可能としながら、固定具である共締ネジ３の数を減らすことができる。また、上下ケース２０，４０の間に固定された取付レール部１５をその長手方向に沿って延伸するリブ２５で押えていることで、取付レール部１５の剛性を高めることができ、取付レール部１５の長手方向に撓みが生じることを防止できる。
【００４５】
すなわち、押鍵操作で鍵１１（白鍵１１ａ）の先端側を押し下げると、鍵ストッパー１２の下端が鍵盤フレーム５０に当接して、その位置で鍵の下降が規制される。ところが、そこからさらに鍵１１の先端側を押し下げる力が強く加わった場合には、その反作用として、鍵ストッパー１２を支点に鍵１１の後端側が持ち上がる向き（上向き）の力が作用する。これにより、ヒンジ部１０ａを介して取付レール部１５に上向きの強い力がかかる。この力は、取付レール部１５の長手方向を撓ませようとする力として作用する。しかしながら、本実施形態の鍵盤楽器１−４では、取付レール部１５がその長手方向に沿うリブ２５で押えられていることで、取付レール部１５に撓みが生じることを防止できる。
【００４６】
また、本実施形態の鍵盤楽器１−４では、鍵ストッパー１２で鍵１１の下降が規制された状態で、さらに鍵１１の長手方向の中間部分（鍵ストッパー１２とヒンジ部１０ａの間の部分）を非常に強い力で押し下げた場合、鍵ストッパー１２と取付レール部１５との間の部分がその長手方向に沿って下側に凸となるように撓むことがある。そうすると、ヒンジ部１０ａの下面側に設けた突起部１０ｂが鍵盤１０の下側に設置した鍵フレーム５０に当接する。このとき、突起部１０ｂよりも前側の部分の鍵１１は下側に凸となるように撓んでいるので、突起部１０ｂよりも後側のヒンジ部１０ａ及び取付レール部１５には、突起部１０ｂを支点とする上向きの力が作用する。これによっても、取付レール部１５の長手方向を撓ませようとする力がかかる。しかしながら、この場合にも、取付レール部１５がリブ２５で押えられていることで、取付レール部１５の長手方向に撓みが生じることを防止できる。このように、取付レール部１５に撓みが発生することを防止できるので、演奏時に鍵１１の後端側が浮き上がるなどして鍵タッチ感が悪くなったり、取付レール部１５の固定箇所からきしみ音など機械的な雑音が発生したりすることを防止できる。
【００４７】
図６は、上ケース２０に設けたリブ２５の他の構成例を示す図である。図５では、上ケース２０の下面側２２ａに設けたリブ２５の下端辺２５ａを両側のボス２４の下端面２４ａと連続する一直線状に形成していたが、これ以外にも、図６（ａ）に示すように、リブ２５の下端辺２５ａの一部に両側のボス２４の下端面２４ａに対して湾曲面状に突出している突出部２６を形成してもよい。また、図６（ｂ）に示すように、リブ２５の下端辺２５ａの一部に矩形の段状に突出している突出部２７を形成してもよい。
【００４８】
図６（ａ），（ｂ）のように、両側のボス２４の下端面２４ａに対してリブ２５の下端辺２５ａの少なくとも一部を下方（取付レール部１５側）に若干突出させておけば、リブ２５の下端辺２５ａがボス２４の下端面２４ａ及びその近傍と同等がそれ以上の圧力で取付レール部１５に当接するようになる。これにより、隣接するボス２４の間のリブ２５で取付レール部１５がより確実に固定されるようになる。
【００４９】
〔第５実施形態〕
図７は、本発明の第５実施形態にかかる鍵盤楽器１−５の構成を概略的に示す側断面図である。本実施形態の鍵盤楽器１−５では、取付レール部１５におけるリブ２５の下端辺２５ａが当接する箇所に、取付レール部１５に対するリブ２５の前後位置を規制するためのリブ位置規制部３０を設けている。
【００５０】
本実施形態の鍵盤支持構造が適用される電子オルガン、電子ピアノ、シンセサイザをはじめとする各種の鍵盤楽器では、鍵盤ユニット１０の後側に設置した上ケース２０の上壁２２が演奏者側に向けて傾斜するパネル操作面になっていることがある。すなわち、詳細な図示は省略するが、鍵１１の見え懸り部より後方の上部を覆っている上壁（パネル部）２２は、鍵１１の見え懸り部に近い側では、押鍵指示用のＬＥＤが内蔵されていたり、キースプリット用のスイッチが配設されてされていたりする。また、鍵１１の見え懸かり部より後方に離れた位置には、音色選択スイッチやモード切替スイッチなどが設けられている。
【００５１】
この場合、上壁２２が鍵１１の後端の位置から斜め後方に徐々に立ち上がるように傾斜していることで、上ケース２０に設けたボス２４やリブ２５が取付レール部１５の上面１５ｂに対して傾斜していることがある。そうすると、共締めネジ３をボス２４に固定する際、取付レール部１５に対する上ケース２０の固定位置が前後にずれ易くなる。これを防止するため、本実施形態の鍵盤楽器１−５では、取付レール部１５におけるリブ２５が当接する箇所にリブ位置規制部３０を設けている。
【００５２】
リブ位置規制部３０の具体的な構成例として、図７（ａ）及び（ｂ）に示すものがある。図７（ａ）に示す鍵盤楽器１−５では、取付レール部１５の上面１５ｂにおけるリブ２５の下端辺２５ａが当接する箇所に段差３１を設けている。段差３１は、リブ２５の長手方向に沿って直線状に形成されており、リブ２５の前側に対して後側が若干高くなるような段差になっている。この段差３１によって、リブ２５の下端辺２５ａの後側への移動が規制されるので、上ケース２０が後側にずれることを防止できる。なお、この第５実施形態では、共締めネジ３の締結による鍵盤ユニット１０の微小な後退動を防ぐために、鍵盤フレーム５０の後端上部における鍵１１の並び方向に延設した突条５０ｄが設けられている。
【００５３】
また、図７（ｂ）に示す鍵盤楽器１−５では、取付レール部１５の上面１５ｂにリブ２５の前後移動を規制するための突条３２を設けている。突条３２は、リブ２５の長手方向に沿って直線状に形成されており、リブ２５の下端辺２５ａの前側及び後側に対向する位置にそれぞれ一条ずつが形成されている。この突条３２によって、上ケース２０に設けたリブ２５の前後移動が規制されるので、上ケース２０が正規の固定位置に対して前側又は後側にずれることを防止できる。なお、上ケース２０が後側にずれることのみを規制すればよい場合は、突条は、後側の一条のみでもよい。
【００５４】
〔第６実施形態〕
図８は、本発明の第６実施形態にかかる鍵盤楽器１−６を示す図である。本実施形態の鍵盤楽器１−６は、上ケース２０のリブ２５の下端辺２５ａと取付レール部１５の上面１５ｂとの間に介在させた緩衝材２８を備えている。
【００５５】
第３乃至第５実施形態の鍵盤楽器１−３〜１−５では、リブ２５の下端辺２５ａを取付レール部１５の上面１５ｂに当接させた状態で固定している。この場合、上ケース２０や鍵盤ユニット１０が合成樹脂の成型品であると、上ケース２０と鍵盤ユニット１０の当接箇所に僅かな凹凸が有る場合が多い。そうすると、リブ２５と取付レール部１５との当接箇所からきしみ音などの機械的な雑音が発生するおそれがある。これを防止するため、本実施形態の鍵盤楽器１−６では、リブ２５の下端辺２５ａと取付レール部１５の上面１５ｂとの間に緩衝材２８を介在させている。これにより、リブ２５及び取付レール部１５の微振動やきしみ音などの騒音を防止できる。また、リブ２５による取付レール部１５の固定をより強固にすることができる。ここでの緩衝材２８の具体例としては、圧縮されることで容易に変形する柔らかい部材が望ましく、不織布、フェルト、スポンジなどが挙げられる。
【００５６】
以上本発明の実施形態を説明したが、本発明は上記実施形態に限定されるものではなく、特許請求の範囲、及び明細書と図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。
【００５７】
例えば、上記各実施形態に示す上ケース２０に設けたリブ２５やボス２４の具体的な形状、配置、設置数などは一例である。したがって、本発明の鍵盤取付構造において上ケースに設けるリブは、上記実施形態に示すような取付レール部１５に沿う直線状とする以外にも、曲線状や屈曲線状など他の形状とすることもできる。また、リブの本数は一本には限定されず、二本以上を設けてもよい。
【００５８】
また、上記実施形態では、上下ケース２０，４０を一体に固定する固定具がネジ（共締ネジ）３である場合を説明したが、本発明の鍵盤取付構造の固定具は、ネジ以外の固定具であってもよい。例えば、上ケースと下ケースの合わせ部分をかしめることで固定する固定具や、挟持することで固定する固定具でなどでもよい。また、上下ケースが合成樹脂の成型品の場合には、上下ケースのいずれか一方に突起状の係合爪を設け、該係合爪を上下ケースのいずれか他方に対してスナップイン係合させて両者を一体に固定する構造などでもよい。
【符号の説明】
【００５９】
１〜１−６  鍵盤楽器
３  共締ネジ（固定具）
１０  鍵盤ユニット
１０ａ  ヒンジ部
１１  鍵
１５  取付レール部（鍵共通基端部）
１５ｂ  上面
１６  位置決めネジ
１７  位置決めフック
１８  位置決め機構
２０  上ケース
２１  前壁
２２  上壁
２２ａ  下面側
２４  ボス
２４ａ  下端面
２５  リブ
２５ａ  下端辺
２８  緩衝材
３０  リブ位置規制部
４０  下ケース
４１  下壁
４２  段部
４３  載置部
５０  鍵盤フレーム（他の部材）
【図１】
0005487767.tif 000002
【図２】
0005487767.tif 000003
【図３】
0005487767.tif 000004
【図４】
0005487767.tif 000005
【図５】
0005487767.tif 000006
【図６】
0005487767.tif 000007
【図７】
0005487767.tif 000008
【図８】
0005487767.tif 000009